(57)【要約】【課題】染みを広げたり布地を傷めたりすることなく染みを取ることを可能とするとともに、袖口等の狭い箇所からカーペットのような広い箇所に至るまで、最適の状態で染み取りを行うことを可能とする。【解決手段】内部空間を有する本体１と、前記内部空間１ａに連通するように前記本体１に取り付けられたアダプタ２２と、前記本体１に設けられ、染み取り剤を前記吸引口部２４から吸引して外部に排出する排気口部７とを備え、前記アダプタ２２は、前記本体１に着脱自在に取り付けられる筒状のアダプタ本体２３と、アダプタ本体２３の先端に着脱自在に取り付けられ、対象物の染みの箇所に染み込ませた染み取り剤の部分に当接させる吸引盤２５を有する吸引口部２４とを備える。【選択図】図２
0003110666.tif 000002
【実用新案登録請求の範囲】
【請求項１】
内部空間を有する本体と、
前記内部空間に連通するように前記本体に取り付けられ、染み取り対象物の染みの箇所に染み込ませた染み取り剤を吸引するアダプタと、
前記本体に設けられ、前記内部空間の空気を排出して染み取り剤を前記アダプタから吸引するための排気口部とを備え、
前記アダプタは、
前記本体に着脱自在に取り付けられる筒状のアダプタ本体と、
染み取り対象物の染みの箇所に染み込ませた染み取り剤の部分に当接させる吸引盤を有する吸引口部とを備えたことを特徴とする染み取り器。
【請求項２】
請求項１に記載の染み取り器において、
前記吸引口部は、前記アダプタ本体の先端に着脱自在に取り付けられていることを特徴とする染み取り器。
【請求項３】
請求項１または２に記載の染み取り器において、
前記吸引盤は、メッシュ部材で構成されていることを特徴とする染み取り器。
【請求項４】
請求項１または２に記載の染み取り器において、
前記吸引盤は、微細孔が形成された板状体で構成されていることを特徴とする染み取り器。
【請求項５】
請求項１乃至４いずれかに記載の染み取り器において、
前記吸引盤は、平坦面で形成されていることを特徴とする染み取り器。
【請求項６】
請求項１乃至４いずれかに記載の染み取り器において、
前記吸引盤は、弧状面またはテーパ面で形成されていることを特徴とする染み取り器。
【請求項７】
請求項１乃至６いずれかに記載の染み取り器において、
前記アダプタは、実質的に前記吸引盤にのみ孔が形成されたものであることを特徴とする染み取り器。
【請求項８】
請求項２に記載の染み取り器において、
前記吸引盤は、微細孔が形成された板状体で構成され、
前記アダプタは、実質的に前記吸引盤にのみ孔が形成されたものであり、
前記排気口部は、掃除機のホースが装着されるように構成されていることを特徴とする染み取り器。
【請求項９】
内部空間を有する本体と、
前記内部空間に連通するように前記本体に取り付けられ、染み取り対象物の染みの箇所に染み込ませた染み取り剤を吸引するアダプタと、
前記本体に設けられ、前記内部空間の空気を排出して染み取り剤を前記アダプタから吸引するための排気口部とを備え、
前記アダプタは、
前記本体に着脱自在に取り付けられた可撓性を有するホースと、
前記ホースの先端に着脱自在に取り付けられ、染み取り対象物に染み込ませた染み取り剤の部分に当接させるノズルからなる吸引口部とを備えたことを特徴とする染み取り器。
【請求項１０】
請求項９記載の染み取り器において、
前記ノズル状の吸引口部の先端にテーパ面が形成されていることを特徴とする染み取り器。
【請求項１１】
請求項９または１０に記載の染み取り器において、
前記ノズル状の吸引口部の先端に、染み取り対象物に染み込ませた染み取り剤の部分に当接させる吸引盤が取り付けられていることを特徴とする染み取り器。
【請求項１２】
請求項１０に記載の染み取り器において、前記ノズル状の吸引口部の先端に、染み取り対象物に染み込ませた染み取り剤の部分に当接させる吸引盤が取り付けられ、
前記排気口部は、掃除機のホースが装着されるように構成されていることを特徴とする染み取り器。
【請求項１３】
請求項１、２、３、４、５、６、７、９、１０又は１１に記載の染み取り器において、
前記排気口部は、掃除機のホースが装着されるように構成されていることを特徴とする染み取り器。
【請求項１４】
内部空間を有する本体と、
前記内部空間に連通するように前記本体に着脱自在に取り付けられ、染み取り対象物の染みの箇所に染み込ませた染み取り剤を吸引するためのアダプタと、
前記本体に設けられ、前記内部空間の空気を排出して染み取り剤を前記アダプタから吸引する排気口部とを備え、
異なるアダプタを複数具備し、
各アダプタが選択的に本体に取り付けられるよう構成したことを特徴とする染み取り器セット。
【請求項１５】
請求項１４に記載の染み取り器セットにおいて、
前記各アダプタの少なくとも１つは、前記本体に着脱自在に取り付けられ可撓性を有するホースを含み、
前記各アダプタの少なくとも１つは、前記本体に着脱自在に取り付けられる筒状のアダプタ本体を含むことを特徴とする染み取り器セット。
【考案の詳細な説明】
【技術分野】
【０００１】
本考案は、衣服、カーペット等の染み取り対象物に付いた染みを取るための染み取り器及び染み取り器セットに関する。
【背景技術】
【０００２】
従来、衣服等の染み取り対象物に付いた染みを取る方法としては、染みの付いた箇所の裏側から当て布を当て、染みの付いた箇所に染み取り剤を染み込ませて布で拭いたり、繰り返し叩いたりしてその染みを取る方法が知られている（ 例えば、特許文献１参照）。
【０００３】
また、気密ケースの上壁に、多数吸引孔を有する吸引盤を設け、この吸引盤上に染み取り対象物を載せて、気密ケースに接続された吸引ホースで吸引する染み取り器がある（例えば、特許文献２参照）
【特許文献１】実開平５ − ７４４８８号公報
【特許文献２】登実第３００６７７１号
【考案の開示】
【考案が解決しようとする課題】
【０００４】
しかしながら、特許文献１に示されているような染みを取る方法では、かえって染みが広がったり、布地が傷んだりするという問題がある。
【０００５】
また、特許文献２に示されているような染み取り器では、吸引盤が固定的であるため、例えば衣服の袖口のような狭い箇所や、カーペットのような広い箇所等、様々な箇所についた染みを効率よく除去することは困難であるという問題があった。
【課題を解決するための手段】
【０００６】
第１の考案によれば、内部空間を有する本体と、前記内部空間に連通するように前記本体に取り付けられ、染み取り対象物の染みの箇所に染み込ませた染み取り剤を吸引するアダプタと、前記本体に設けられ、前記内部空間の空気を排出して染み取り剤を前記アダプタから吸引するための排気口部とを備え、前記アダプタは、前記本体に着脱自在に取り付けられる筒状のアダプタ本体と、染み取り対象物の染みの箇所に染み込ませた染み取り剤の部分に当接させる吸引盤を有する吸引口部とを備えたことを特徴とする染み取り器が提供される。
【０００７】
本考案によれば、染みの付いた部分に染み取り剤を染み込ませておき、その部分を吸引口部の吸引盤に当て、排気口部から本体内の空気を吸引することにより、染みを抜き取った染み取り剤が内部空間に吸い込まれる。
【０００８】
第２の考案によれば、内部空間を有する本体と、前記内部空間に連通するように前記本体に取り付けられ、染み取り対象物の染みの箇所に染み込ませた染み取り剤を吸引するアダプタと、前記本体に設けられ、前記内部空間の空気を排出して染み取り剤を前記アダプタから吸引するための排気口部とを備え、前記アダプタは、前記本体に着脱自在に取り付けられた可撓性を有するホースと、前記ホースの先端に着脱自在に取り付けられ、染み取り対象物に染み込ませた染み取り剤の部分に当接させるノズルからなる吸引口部とを備えたことを特徴とする染み取り器が提供される。
【０００９】
本考案によれば、染みの付いた部分に染み取り剤を染み込ませておき、その部分にノズルを当て、排気口部から本体内の空気を吸引することにより、染みを抜き取った染み取り剤が内部空間に吸い込まれる。
【００１０】
第３の考案によれば、内部空間を有する本体と、前記内部空間に連通するように前記本体に着脱自在に取り付けられ、染み取り対象物の染みの箇所に染み込ませた染み取り剤を吸引するためのアダプタと、前記本体に設けられ、内部空間の空気を排出して染み取り剤を前記アダプタから吸引する排気口部とを備え、異なるアダプタを複数具備し、各アダプタが選択的に本体に取り付けられるよう構成したことを特徴とする染み取り器セットが提供される。
【００１１】
第１の考案による染み取り器は、前記吸引盤は、メッシュ部材または微細孔が形成された板状体で構成されていることが好ましい。
【００１２】
第１の考案による染み取り器は、前記吸引盤は、平坦面、弧状面またはテーパ面で形成されていることが好ましい。
【００１３】
第２の考案による染み取り器は、前記ノズル状の吸引口部の先端にテーパ面が形成されていることが好ましい。
【００１４】
第２の考案による染み取り器は、前記ノズル状の吸引口部の先端に、染み取り対象物に染み込ませた染み取り剤の部分に当接させる吸引盤が取り付けられていることが好ましい。
【００１５】
第１の考案による染み取り器は、前記アダプタは、実質的に前記吸引盤にのみ孔が形成されている構造であることが好ましい。
【００１６】
第１及び第２の考案による染み取り器は、前記排気口部は、掃除機のホースを装着する構造であることが好ましい。
【考案の効果】
【００１７】
第１の考案によれば、吸引口部を染み取り対象物に当て、内部空間内の空気を強制的に排出することにより、染みが広がったり布地が傷んだりすることなく、布地の染みを取ることができるとともに、着脱交換可能の吸引盤を備えたアダプタを本体に着脱自在に取り付けたことにより、最適のアダプタを使用して、例えば、袖等の狭い箇所に付いた染みでも効率よく除去することができる。
【００１８】
第２の考案によれば、ホースに取り付けたノズル状の吸引口部を染み取り対象物に当て、内部空間内の空気を強制的に排出することにより、染みが広がったり布地が傷んだりすることなく、布地の染みを取ることができるとともに、例えば、カーペットや壁等の広くて手の届きにくい箇所に付いた染みでも効率よく除去することができる。
【考案を実施するための最良の形態】
【００１９】
以下、本考案の実施形態について、図面を用いて説明する。
図１は、第１実施形態に係わる染み取り器の分解側面図、図２は全体の縦断側面図である。
【００２０】
本実施形態における染み取り器は、透明樹脂からなる円筒状をなす本体１と、この本体１の下端を支持する支持台２と、この支持台２上に設けられ、本体１内に配置された第１気液分離部材３、第２気液分離部材４および第３気液分離部材５と、本体１の上部に取り付けられたソケット部材６とを備えている。本体１の上側部には、吸引口部から吸引された染み取り液混合気中の液体を分離除去する気液分離機構をなす第１〜第３気液分離部材３、４、５よりも上方に、排気口部７が設けられている。管状の排気口部７の基端部７ａは本体１の内部空間１ａに突出している。排気口部７の反対側には合成樹脂により本体１と一体に形成した把持部８が設けられている。
また、内部空間には、後述する吸引口部２４から吸引された染み取り液混合気が流入する所定方向へ延びる流入通路と、この流入通路と反対方向へ延びる流出通路と、を有する折り返し通路が形成されている。そして、気液分離機構は、折り返し通路の流入通路に配され、染み取り液混合気の流線に対して傾斜する傾斜面を有し、液体の飛散範囲を抑制する飛散抑制部材としての第１気液分離部材３と、第１気液分離部材に衝突した液体の飛散を防止するよう第１気液分離部材の近傍に設置され、折り返し通路を流入通路と流出通路とに仕切るとともに、複数のスリットが形成される仕切り部としての第２気液分離部材４と、折り返し通路内の流出通路に配され、上流側に向かって凹に形成された凹状部としての第３気液分離部材５、を有している。
【００２１】
支持台２の上面には平面視円形の比較的浅い凹部１０が形成され、この凹部１０に有底円筒状のドレーン容器１１の底部が嵌合されている。ドレーン容器１１の外周にはスリット１２が形成され、内部には複数枚の補強板１３が放射状に配置されている。本体１は、ドレーン容器１４の外周に嵌合されるとともに、底部に形成されたフランジ部１５上に載置されている。
【００２２】
ドレーン容器１１の中央部に飛散抑制部材としての第１気液分離部材３が載置されている。この第１気液分離部材３は、筒部３ａの上端部に円錐屋根３ｂが形成され、筒部３ａの下端外周にスリット３ｃが形成された略きのこ状のものである。この第１気液分離部材３の外側に仕切り部としての第２気液分離部材４が被せられている。この第２気液分離部材４には、中空筒部４ａの外周に多数の縦方向のスリット１６が形成されるとともに、このスリット１６を内側から覆うようにメッシュからなるフィルタ１７が取り付けられている。尚、このフィルタ１７の設置箇所はスリット１６の内側に限定されないし、フィルタ１７を設けない構成としてもよい。そして、第２気液分離部材４の上端部に笠状の第３気液分離部材５が嵌合されている。この凹状部としての第３気液分離部材５は、上端に開口部１８が形成されるとともに、周囲に張り出した笠１９を有し、この笠１９に放射状にスリット１９ａが形成されたものである。この第３気液分離部材５の上端に上記ソケット部材６が嵌合され、開口部１８と連通している。
【００２３】
図２に示すように、ソケット部材６は、上部にフランジ２０を有する円筒体であり、本体１の上部開口部２１に嵌合させ、フランジ２０とともに本体１に固着されている。このソケット部材６の上端にアダプタ２２が着脱自在に取り付けられている。このアダプタ２２は、円筒状のアダプタ本体２３と、アダプタ本体２３の先端に着脱自在の吸引口部２４とからなる。本実施形態においては、アダプタ本体２３と吸引口部２４に互いに螺合するようねじ部がそれぞれ形成されている。これにより、ビス等により固定されるもののように、脱着作業が繁雑となることはない。吸引口部２４は、上部が拡開した漏斗形状のもので、その上端開口部にはメッシュ部材からなる吸引盤２５が取り付けられている。なお、吸引盤２５はメッシュ部材に代えて微細な透孔が形成された板（図示せず）を用いてもよい。
ここで、アダプタ２２について軸方向寸法が互いに異なるアダプタ本体２３を複数具備するとともに吸引盤２５の形状が互いに異なる吸引口部２４を複数具備して、本体２、アダプタ２２、排気口部７により染み取り器セットを構成している。そして、各アダプタ本体２３は選択的に本体２に取り付けられ、各吸引口部２４は選択的にアダプタ本体２３に取り付けられる。
【００２４】
次に、本考案の染み取り器の作用を説明する。
【００２５】
図３及び図４に示すように、例えば、洋服の袖、カーペット等の染み取り対象物Ａに付いた染みを取る場合、染みの付いた部分に染み取り液（染みの性質により例えば水でもよい）を染み込ませておき、その部分をアダプタ２２の吸引盤２５上に載置する。ここで、染み取り液には、消泡作用を有する物質を含ませることが好ましい。図３に示すように、長尺な袋状である洋服の袖、裾等の染み取りを行う場合は、軸方向寸法が比較的長いアダプタ本体２３を用いるとともに、比較的小型の吸引盤２５を有する吸引口部２４を用いるとよい。また。図４に示すように、平坦なカーペット、カーテン等の染み取りを行う場合は、軸方向寸法が比較的短いアダプタ本体２３を用いるとともに、比較的大型の吸引盤２５を有する吸引口部２４を用いるとよい。次に、掃除機のホース２７を排気口部７に接続し、掃除機のスイッチをオンにすることにより、排気口部７から空気が吸い込まれ、本体１の内部空間１ａの空気が排出される。これにより、アダプタ２２の吸引盤２５から吸い込まれた染み取り液は、ソケット部材６、第３気液分離部材５、第２気液分離部材４、第１気液分離部材３に、図２中の矢印２８方向の気流に乗って流れる。なお、排気口部７に接続する吸引機器に掃除機を利用することにより、特別な機器を必要としないが、掃除機に限定するものではない。
【００２６】
この染み取り液混合気の気流は、まずはじめに第１気液分離部材３の円錐屋根３ｂに衝突し、液体の一部は水滴となって円錐屋根３ｂに沿ってドレーン容器１１内に落下するとともに、残りの染み取り液混合気は中空筒部４ａの内壁に衝突しつつフィルタ１７からスリット１６を通って第２気液分離部材４の外部に排出される。ここで、第１気液分離部材３はきのこ状であるから、屋根３ｂの下側で液体の上方への移動が抑制される。このとき染み取り液混合気に含まれる液体は、中空筒部４ａの内壁に付着し、かつフィルタ１７により分離除去されて、中空筒部４ａの内壁およびフィルタ１７に沿って落下し、ドレーン容器１１に溜められる。スリット１６から排出された気流は、第２気液分離部材４の外側を通って排気口部７に向かう上向きの気流２９となる。このようにして、染み取り液混合気中に含まれる液体は、第１気液分離部材３および第２気液分離部材４により分離除去されてドレーン容器１１に溜められる。染み取り液がほとんど除去されている気流２９は、排気口部７に向かう途中で第３気液分離部材５の笠１９に衝突しながらスリット１９ａを通過し、残存している液体は笠１９から滴下する。気流２９は、スリット１９ａを通った後、排気口部７の基端部７ａに衝突し、ここでも染み取り液混合気中に含まれる残りの液体は除去されて滴下する。このようにして、液体が完全に分離除去された気体が排気口部７から排出される。なお、ドレーン容器１１内に溜められたドレーンが回転運動すると液体が上方に舞い上がり、排気口部７から排出されるおそれがある。ドレーン容器１１に設けられた補強板１３は、第２気液分離部材４の位置決めを行うとともに溜められたドレーンがドレーン容器１１内で乱雑に回転運動するのを防止する役目を果している。
【００２７】
本体１、ソケット部材６、第１気液分離部材３、第２気液分離部材４、第３気液分離部材５、ドレーン容器１１、および支持台２は、それぞれ分解可能に組み付けられている。したがって、分解してこれらの部品に付いた汚れを清掃することができ、また、ドレーン容器１１に溜まった液を廃棄することができる。
尚、本実施形態においては折り返し通路は上下方向に延びるよう形成されているが、水平方向や斜め方向に延びるものであってもよい。また、本実施形態においては、気液分離機構の飛散抑制部材としてきのこ状のものを示したが、染み取り液混合気の流線に対して傾斜し、液体の飛散範囲を抑制するものであれば他の部材であってもよいし、仕切り部、凹状部についても適宜変更が可能である。
【００２８】
図５は、アダプタ２３の変形例を示している。
【００２９】
図５（ａ）は、吸引盤２５がアダプタ本体２３と同径のものである構造のもの、図５（ｂ）は、吸引盤２５が弧状面をなす構造のもの、図５（ｃ）は、吸引盤２５がテーパ面をなす構造のものをそれぞれ示している。これらの構造においても、吸引盤２５はメッシュ部材でも微細孔付きの板状体でもよい。このように、吸引盤２５の大きさや形状の異なるものを複数用意しておくことにより、染み取り箇所に応じて最適のものを選んでアダプタ本体２３に着脱することができる。
【００３０】
図６は、本考案の第２実施形態を示す。
【００３１】
第２実施形態は、アダプタ２２として、可撓性を有するホース３０に吸引口部２４としてノズル３１を設けたものである。ホース３０の基端には、本体１のソケット部材６に差し込まれるソケット３２を備え、ホース３０の先端のソケット３３にはノズル３１が着脱自在に取り付けられている。このノズル３１は、端部に形成されたテーパ面３４をなす細長いノズル口３５（図７参照）を有するものである。すなわち、染み取り器セットとして、前述のような筒状のアダプタ本体２３を有するアダプタ２２と、ホース３０を有するアダプタ２２とを具備するようにすると、使用者は用途に応じてこれらのアダプタ２２を適宜交換することができる。
【００３２】
アダプタ２２のソケット３２を本体１のソケット部材６に差込み、染みの付いた部分に染み取り液（水でもよい）を含浸させておき、その部分にノズル３１をあてがい、掃除機のホース２７を排気口部７に接続し、掃除機のスイッチをオンにする。これにより、ノズル３１から染みを抜き取った染み取り液が吸引され、第１実施形態と同様にして排気口部７から空気が排出される。
【００３３】
図８は、ノズル３１の変形例であって、ノズル３１の先端にノズル３１と直角をなすノズル口３５を形成したものである。このノズル口３５は吸引面積が小さい分、吸引力が大きくなるので、局部的な染みの除去に有効である。
【００３４】
第２実施形態においても、ノズル口３５に、第１実施形態の図２乃至図５に示すような吸引盤２５を取り付けて使用することも可能である。
【００３５】
第２実施形態の染み取り器は、長いホース３０を備えているので、例えば、カーペットや壁等の広くて手の届きにくい箇所に付いた染み取りに好適に使用することができる。
【００３６】
図９は本考案の第３の実施形態を示す。
図９に示すように、この染み取り器は、ドレーン容器１１に排出管４０が接続され、ドレーン容器１１に溜まったドレーンを排出管４０を通じて外部へ排出可能に構成されている。この染み取り器は、二段式の台車１００に備え付けられる。具体的には、台車１００の上段１０１に染み取り器の支持台２が固定され、台車１００の下段１０２に排出管４０から排出されたドレーンを受容するドレーンタンク４１が固定されている。本実施形態においては、排出管４０に開閉自在のバルブ４２が設けられ、このバルブ４２が開状態のときに、ドレーンが自重によりドレーン容器１１からドレーンタンク４１へ流出する。
【００３７】
このように、二段式の台車１００に染み取り器を備えたことにより、例えば、ホテル、旅館等の宿泊施設をはじめとした家屋内を清掃する清掃作業者は、清掃具用の台車１００に染み取り器を取り付けて清掃作業とともに染み取り作業も行うことができ、実用に際して極めて便利である。
【００３８】
ここで、図９に示すバルブ４２は手動であるが、これは自動であってもよい。バルブ４２を自動とする場合は、センサ類によりドレーンの量を検出したり、吸引装置の可動時間を検知するなどして、ドレーン容器１１に貯留するドレーンの量に対応して排出するようにする構成が好ましい。
【００３９】
また、ドレーンタンク４１をドレーン容器１１の下側に設置して、ドレーンが自重により排出されるようにしたが、吸引ポンプ等を別途設けてドレーンを排出するようにしてもよいことは勿論である。
【図面の簡単な説明】
【００４０】
【図１】第１実施形態に係わる染み取り器の分解側面図である。
【図２】同じく、縦断側面図である。
【図３】服の袖を通した状態を示すアダプタの説明図である。
【図４】カーペットを載置した状態を示すアダプタの説明図である。
【図５】アダプタの変形例を示す縦断側面図である。
【図６】第２実施形態に係わる染み取り器の縦断側面図である。
【図７】図３のノズル部分の右側面図である。
【図８】ノズルの変形例を示すもので、（ａ）は側面図、（ｂ）は下面図である。
【図９】第３実施形態に係わる染み取り器の側面図であって、台車に備えられた状態を示したものである。
【符号の説明】
【００４１】
１  本体
１ａ  内部空間
２  支持台
３  第１ろ過部材
３ａ      筒部
３ｂ  円錐屋根
３ｃ  スリット
４  第２ろ過部材
４ａ  中空筒部
５  第３ろ過部材
６  ソケット部材
７  排気口部
７ａ  突出部
８  把持部
１０  凹部
１１  ドレーン容器
１２  スリット
１３  補強板
１５  フランジ部
１６  スリット
１７  フィルタ
１８  開口部
１９  笠
１９ａ  スリット
２０  フランジ
２１  上部開口部
２２  アダプタ
２３  アダプタ本体
２４  吸引口部
２５  吸引盤
３０  ホース
３１  ノズル
３２  ソケット
３３  ソケット
３４  テーパ面
３５  ノズル口
４０  排出管
４１  ドレンタンク
４２  バルブ
Ａ  染み取り対象物
【図１】
0003110666.tif 000003
【図２】
0003110666.tif 000004
【図３】
0003110666.tif 000005
【図４】
0003110666.tif 000006
【図５】
0003110666.tif 000007
【図６】
0003110666.tif 000008
【図７】
0003110666.tif 000009
【図８】
0003110666.tif 000010
【図９】
0003110666.tif 000011